(57)【要約】【課題】接点アームアセンブリ（３０）および接点アームアセンブリを組み立てるための方法が提供される。【解決手段】接点アームアセンブリ（３０）は、第１の端部部分（１４０）および第２の端部部分（１４０）を有する第１の接点アーム（５６）を含む。第１の端部部分（１４０）には、第１の接点（７６）が配設され、かつ第１のばね保持部分（１４８）が配設される。第２の端部部分（１４２）は、第１の編組ストラップ（１０６）を連結するための第１のタブ部材（１５０）を有する。第１の接点アーム（５６）には、第１のピボット開口（１４４）が貫通して延びる。接点アームアセンブリ（３０）はさらに、第１および第２の側面板（８２、８０）を含む。第１の側面板（８２）は第１の接点アーム（５６）の第１の側面に近接して配設され、第２の側面板（８０）は第１の接点アーム（５６）の第２の側面に近接して配設されている。【選択図】図３
2010086959.tif 000002
【特許請求の範囲】
【請求項１】
第１の端部部分（１４０）および第２の端部部分（１４２）を有する第１の接点アーム（５６）であって、前記第１の端部部分（１４０）には、第１の接点（７６）が配設され、かつ第１のばね保持部分が配設され、前記第２の端部部分（１４２）が、第１の編組ストラップ（１０６）を連結するための第１のタブ部材（１５０）を有し、第１の接点アーム（５６）が第１の接点アームを貫通して延びる第１のピボット開口（１４４）を有する、第１の接点アーム（５６）と、
第１の側面板（８２）が前記第１の接点アーム（５６）の第１の側面に近接して配設され、第２の側面板（８０）が前記第１の接点アーム（５６）の第２の側面に近接して配設され、第１の側面板（８２）には、第１のばね支持溝（１７２）があり、かつ第１の開口（１７０）が貫通して延び、第２の側面板（８０）には、第２のばね支持溝があり、かつ第２の開口が貫通して延びる、第１および第２の側面板（８２、８０）と、
前記第１および第２の側面板（８０、８２）のそれぞれの第１および第２のばね支持溝内に配設された第１のばね支持ピン（８８）と、
前記第１の接点アーム（５６）の第１のピボット開口（１４４）を通り、前記第１および第２の側面板（８０、８２）のそれぞれの第１および第２の開口内にかけて配設されたピボットピン（８６）と、
前記第１の接点アーム（５６）の第１のばね保持部分（１４８）と前記第１のばね支持ピン（８８）との間に配設された第１のばね（９６）とを含む接点アームアセンブリ（３０）。
【請求項２】
第３の端部部分および第４の端部部分を有し、前記第３の端部部分には、第２の接点（７６）が配設され、かつ第２のばね保持部分が配設され、前記第４の端部部分が、第２の編組ストラップを連結するための第２のタブ部材を有する、第２の接点アーム（５０）であって、第２のピボット開口が貫通して延びる第２の接点アーム（５０）と、
前記第１の接点アーム（５６）と前記第２の側面板（８０）との間に配設された前記第２の接点アーム（５０）をさらに含み、
前記ピボットピン（８６）が、前記第１の接点アーム（５６）の第１のピボット開口（１４４）、前記第２の接点アーム（５０）の第２のピボット開口を通り、前記第１および第２の側面板（８２、８０）のそれぞれの第１および第２の開口内にかけて配設されており、
前記第２の接点アーム（５０）の第２のばね保持部分と前記第１のばね支持ピン（８８）との間に配設された第２のばね（９０）をさらに含む、接点アームアセンブリ（３０）。
【請求項３】
接点アームアセンブリ（３０）を組み立てるための方法であって、
第１の接点（７６）を第１の接点アーム（５６）の第１の端部部分（１４０）上に連結するステップと、
第１の編組ストラップ（１０６）を前記第１の接点アーム（５６）の第２の端部部分（１４２）の第１のタブ部材（１５０）上に連結するステップと、
ピボットピン（８６）を前記第１の接点アーム（５６）の第１のピボット開口（１４４）を通って配設するステップと、
第１の側面板（８２）を前記第１の接点アーム（５６）の第１の側面に近接して配設するステップと、
第２の側面板（８０）を、前記ピボットピン（８６）が前記第１および第２の側面板（８２、８０）のそれぞれの第１および第２の開口へと延びて、第１のアセンブリを形成するように、前記第１の接点アーム（５６）の第２の側面に近接して配設するステップと、
回転子ハウジング（２２４）のキャビティ（２５０）内に前記第１のアセンブリを配設するステップと、
前記第１および第２の側面板（８２、８０）のそれぞれの第１および第２のばね支持溝内に第１のばね支持ピン（８８）を配設するステップと、
前記第１の接点アーム（５６）の第１のばね保持部分と前記第１のばね支持ピン（８８）との間に第１のばね（９６）を取り付けて、接点アームアセンブリ（３０）を形成するステップとを含む方法。
【請求項４】
第２の接点（７６）を第２の接点アーム（５０）の第２の端部部分に連結するステップと、
第２の編組ストラップ（１００）を前記第２の接点アーム（５０）の第３の端部部分の第２のタブ部材上に連結するステップと、
前記第２の接点アーム（５０）を、前記ピボットピン（８６）が前記第１および第２の接点アーム（５６、５０）のそれぞれの第１および第２のピボット開口を通り、前記第１および第２の側面板（８２、８０）のそれぞれの第１および第２の開口へと延びて、前記第１のアセンブリを形成するように、前記第１の接点アーム（５６）と前記第２の側面板（８０）との間に配設するステップと、
前記第２の接点アーム（５０）の第２のばね保持部分と前記第１のばね支持ピンとの間に第２のばね（９０）を取り付けて、接点アームアセンブリ（３０）を形成するステップとをさらに含む、請求項３記載の方法。
【発明の詳細な説明】
【技術分野】
【０００１】
本出願は、接点アームアセンブリおよび接点アームアセンブリを組み立てるための方法に関する。
【背景技術】
【０００２】
電気機器を過電流状態から保護するために、回路遮断器が使用されてきた。しかし、回路遮断器は、一般に製造するのに比較的コストがかかる多数の構成要素を備えた接点アームを有している。
【０００３】
さらに、２点切り遮断器も開発されてきた。しかし、設計者は、同様のハウジング構成内で２点切り遮断器を１点切り遮断器に変換することはできておらず、製造コストの増大を招いている。
【先行技術文献】
【特許文献】
【０００４】
【特許文献１】米国特許第７，１８９，９３５号公報
【発明の概要】
【発明が解決しようとする課題】
【０００５】
したがって、本発明者らは、上記の欠点を最小限に抑え、および／またはなくする、改善された接点アームアセンブリの必要性を理解している。
【課題を解決するための手段】
【０００６】
例示的な実施形態によって、接点アームアセンブリが提供される。接点アームアセンブリは、第１の端部部分および第２の端部部分を有する第１の接点アームを含む。第１の端部部分には、第１の接点が配設され、かつ第１のばね保持部分が配設される。第２の端部部分は、第１の編組ストラップを連結するための第１のタブ部材を有する。第１の接点アームは、第１の接点アームを貫通して延びる第１のピボット開口を有する。接点アームアセンブリはさらに、第１および第２の側面板を含む。第１の側面板は、第１の接点アームの第１の側面に近接して配設され、第２の側面板は第１の接点アームの第２の側面に近接して配設される。第１の側面板には、第１のばね支持溝があり、かつ第１の開口が貫通して延びる。第２の側面板には、第２のばね支持溝があり、かつ第２の開口が貫通して延びる。接点アームアセンブリはさらに、第１および第２の側面板のそれぞれの第１および第２のばね支持溝内に配設された、第１のばね支持ピンを含む。接点アームアセンブリはさらに、第１の接点アームの第１の円形のピボット開口を通り、第１および第２の側面板のそれぞれの第１および第２の開口内にかけて配設されたピボットピンを含む。接点アームアセンブリはさらに、第１の接点アームの第１のばね保持部分と第１のばね支持ピンとの間に配設された第１のばねを含む。
【０００７】
接点アームアセンブリの利点は、２点切り遮断器のハウジングと同様の１点切り遮断器のハウジング内で接点アームアセンブリを使用できることである。
【０００８】
別の例示的な実施形態によって、接点アームアセンブリを組み立てるための方法が提供される。方法は、第１の接点を第１の接点アームの第１の端部部分上に連結するステップを含む。方法はさらに、第１の編組ストラップを第１の接点アームの第２の端部部分の第１のタブ部材上に連結するステップを含む。方法はさらに、ピボットピンを第１の接点アームの第１のピボット開口を通って配設するステップを含む。方法はさらに、第１の側面板を第１の接点アームの第１の側面に近接して配設するステップを含む。方法はさらに、第２の側面板をピボットピンが第１および第２の側面板のそれぞれの第１および第２の開口へと延びて、第１のアセンブリを形成するように、第１の接点アームの第２の側面に近接して配設するステップを含む。方法はさらに、回転子ハウジングのキャビティ内に第１のアセンブリを配設するステップを含む。方法はさらに、第１および第２の側面板のそれぞれの第１および第２のばね支持溝内に、第１のばね支持ピンを配設するステップを含む。方法はさらに、第１の接点アームの第１のばね保持部分と第１のばね支持ピンとの間に第１のばねを取り付けて、接点アームアセンブリを形成するステップを含む。
【図面の簡単な説明】
【０００９】
【図１】例示的な実施形態による、回路遮断器の概略図である。
【図２】図１の回路遮断器で使用される、接点アームアセンブリの概略図である。
【図３】図２の接点アームアセンブリの概略図である。
【図４】図３の接点アームアセンブリで使用される、回転子の概略図である。
【図５】図１の回路遮断器で使用される、別の接点アームアセンブリの概略図である。
【図６】図３の接点アームアセンブリで使用される、ばねアセンブリの概略図である。
【図７】図６のばねアセンブリで使用される、ばねガイド板の概略図である。
【図８】図６のばねアセンブリで使用される、ばねリテーナの概略図である。
【図９】ブローオープン動作状態にある、図１の回路遮断器の概略図である。
【図１０】トリップされた動作状態にある、図１の回路遮断器の概略図である。
【図１１】オフ動作状態にある図１の回路遮断器の概略図である。
【図１２】図３の接点アームアセンブリを組み立てるための方法のフローチャートである。
【図１３】図３の接点アームアセンブリを組み立てるための方法のフローチャートである。
【発明を実施するための形態】
【００１０】
図１および２を参照すると、例示的な実施形態による回路遮断器１０が示されている。回路遮断器１０は、接点アームアセンブリ３０、３２、３４、および切り換えアセンブリ３８を含む。回路遮断器１０は１点切り回路遮断器である。図１に示すように、接点アームアセンブリ３０は、電流が流れることができる閉動作位置を有する。
【００１１】
接点アームアセンブリ３０、３２、３４は実質的に同様の構成であるため、接点アームアセンブリ３０のみを以下で詳細に説明する。図１、２および３を参照すると、接点アームアセンブリ３０は、接点アーム５０、５２、５４、５６、接点７０、７２、７４、７６、側面板８０、８２、ピボットピン８６、ピン８８、ばねアセンブリ９０、９２、９４、９６、回転子９７、固定接点９８および３つの他の固定接点（図示せず）、ラインストラップ９９、編組ストラップ１００、１０２、１０４、１０６、および負荷ストラップ１０８を含む。
【００１２】
接点アーム５０、５２、５４、５６は側面板８０、８２間に挟まれており、閉動作状態へと回転するとき、固定接点９８および３つの別の固定接点（図示せず）、接点７０、７２、７４、７６、および編組ストラップ１００、１０２、１０４、１０６を介して、ラインストラップ９９から負荷ストラップ１０８へと電流を導通する。接点アーム５０、５２、５４、５６は実質的に同様の構成であるため、接点アーム５０、５６のみを以下でより詳細に説明する。
【００１３】
図１および３を参照すると、接点アーム５０は、端部部分１２０、端部部分１２２、および円形のピボット開口１２４を有する。端部部分１２０は、ばねアセンブリ９０の端部を保持するための溝１２９を有するばね保持部分１２８を含む。接点７０は、ばね保持部分１２８と反対側で端部部分１２０上に配設されている。端部部分１２２は、編組ストラップ１００に連結されたタブ部分１３０を有する。接点アーム５０は側面板８０と接点アーム５２との間に配設されており、ピボットピン８６が接点アーム５０の円形のピボット開口１２４を通り、側面板８０の開口へと延びている。ピボットピン８６はさらに、接点アーム５０、５２、５４、５６のそれぞれの円形のピボット開口を貫通して延び、接点アームがピボットピン８６の周りで回転することができるようになっていることが理解されよう。
【００１４】
図３および５を参照すると、接点アーム５６は、端部部分１４０、端部部分１４２、および円形のピボット開口１４４を有する。端部部分１４０は、ばねアセンブリ９６の端部を保持するための溝１４９を有するばね保持部分１４８を含む。接点７６は、ばね保持部分１４８と反対側で端部部分１４０上に配設されている。端部部分１４２は、編組ストラップ１０６に連結するように構成されたタブ部分１５０を有する。接点アーム５６は側面板８２と接点アーム５４との間に配設されており、ピボットピン８６が接点アーム５６の円形のピボット開口１４４を通り、側面板８２の開口へと延びている。
【００１５】
図１、３および４を参照すると、側面板８０、８２は、接点アーム５０、５２、５４、５６の反対側に配設され、回転子９７のハウジング２２０の溝２３８、２３６内にそれぞれ配設されるように構成されている。したがって、側面板８０、８２は、回転子９７とともに回転する。
【００１６】
側面板８０は、ばねアセンブリ９０の端部を保持するピン８８を受けるためのばね支持溝１６２を含む。したがって、ばねアセンブリ９０は、ピン８８と接点アーム５０のばね保持部分１２８との間に配設されている。ばねアセンブリ９０は、接点アーム５０を固定接点９８に向かうように反時計方向に付勢する。側面板８０はさらに、ピボットピン８６を受けるための、側面板８０を貫通して延びる開口１６０を含む。
【００１７】
図４および５を参照すると、側面板８２は、ばねアセンブリ９６の端部を保持するピン８８を受けるためのばね支持溝１７２を含む。したがって、ばねアセンブリ９６は、ピン８８と接点アーム５６のばね保持部分１４８との間に配設されている。ばねアセンブリ９６は、接点アーム５６をそれぞれの固定接点に向かうように反時計方向に付勢する。側面板８２はさらに、ピボットピン８６を受けるための、側面板８２を貫通して延びる開口１７０を含む。ばねアセンブリ９２、９４は、ピン８８と接点アーム５２、５４上のばね保持部分との間にそれぞれ配設されていることを理解されたい。
【００１８】
図３を参照すると、ばねアセンブリ９０、９２、９４、９６は、接点アーム５０、５２、５４、５６を、それぞれの固定接点に向かうように反時計方向に付勢するように構成されている。ばねアセンブリ９０、９２、９４、９６は実質的に同様の構造であるため、ばねアセンブリ９０のみを以下でより詳細に説明する。
【００１９】
図６〜８を参照すると、ばねアセンブリ９０は、ばねガイド板１９０、ばね１９２、およびばねリテーナ１９４を含む。ばねガイド板１９０は、ばね１９２を受けるように構成されており、ばね１９２を支持する。ばねガイド板１９０は、ばねリテーナ１９４の一部を受けるためのスロット１９６を含む。ばねガイド板１９０はさらに、ばね１９２の端部を保持するように構成されたフランジ部分１９８、２００を含む。ばねガイド板１９０はさらに、ピン８８（図３に示す）を受けるように構成された嵌め合い面２０２を含む。ばねリテーナ１９４は、ばねガイド板１９０のスロット１９６内に配設されるように構成され、ばね１９２がばねリテーナ１９４とばねガイド板１９０のフランジ部分１９８、２００との間に保持されるようになっている。
【００２０】
図１、２および４を参照すると、接点アームアセンブリを通して過電流状態が検出されたとき、回転子９７が回転するように、また接点アームをトリップされた（すなわち、開）動作状態に保持するようになされている。回転子９７は、ハウジング２２０、２２２、２２４を含む。
【００２１】
ハウジング２２０は、接点アーム５０、５２、５４、５６を含む第１の組の接点アーム２２５を保持する。特に、ハウジング２２０は、接点アーム５０、５２、５４、５６を保持するためのキャビティ２３０を含む。さらに、ハウジング２２０は、側面板８２、８０をそれぞれ中に受けるために溝２３６、２３８をそれぞれ有する側壁２３２、２３４を含む。
【００２２】
ハウジング２２２は、第２の組の接点アーム２２６を保持する。特に、ハウジング２２２は、第２の組の接点アーム２２６を保持するためのキャビティ２４０を含む。さらに、ハウジング２２０は、２つの側面板を受けるために溝２４６、２４８をそれぞれ有する側壁２４２、２４４を含む。
【００２３】
ハウジング２２４は、第３の組の接点アーム２２８を保持する。特に、ハウジング２２４は、第３の組の接点アーム２２８を保持するためのキャビティ２５０を含む。さらに、ハウジング２２４は、２つの側面板を受けるために溝２５６、２５８をそれぞれ有する側壁２５２、２５４を含む。
【００２４】
図３を参照すると、編組ストラップ１００、１０２、１０４、１０６は、接点アーム５０、５２、５４、５６とそれぞれ電気的に結合されている。さらに、編組ストラップ１００、１０２、１０４、１０６は、負荷ストラップ１０８と電気的に結合されている。
【００２５】
接点アームアセンブリ３０の接点アーム５０に対する動作の一般的な概要を以下で説明する。接点アームアセンブリ３０の他の接点アームは、接点アーム５０と同様に動作することを理解されたい。図１を参照すると、接点アームアセンブリ３０は閉動作状態を有し、接点アーム５０上の接点７０が固定接点９８と接触するようになっている。さらに、接点アームアセンブリ３０は、ラインストラップ９９、固定接点９８、接点７０、接点アーム５０、編組ストラップ１００、および負荷ストラップ１０８を通って、電流が流れることを可能にする。
【００２６】
図９を参照すると、過電流状態が起きるとき、接点アーム５０と固定接点９８との間の反発力によって、接点アーム５０が固定接点９８から時計方向に遠ざけられ、接点アーム５０上の接点７０が固定接点９８と接触しなくなり、接点アーム５０はブローオープン動作状態となる。
【００２７】
図１０を参照すると、過電流状態が起きた後、回転子９７は切り換えアセンブリ３８によって時計方向に回転し、回転子９７の表面２６０が、接点アーム５０をトリップされた（すなわち、開）動作状態に保持するように接点アーム５０に接触し、電流が接点アーム５０を通って流れないようになる。
【００２８】
図１１を参照すると、ユーザが切り換えアセンブリ３８のハンドル３００を時計方向に回転するとき、切り換えアセンブリ３８によって回転子９７は時計方向に回転する。その結果、回転子９６の表面２６０は接点アーム５０に接触し、接点アーム５０をオフ動作状態へと動かし、電流が接点アーム５０を通って流れないようになる。
【００２９】
図１２および１３を参照して、接点アームアセンブリ３０を組み立てるための方法のフローチャートを以下で説明する。話を簡単にするために、方法は、接点アームアセンブリ３０を接点アーム５０、５６のみで組み立てるためのステップを含む。しかし、方法は、接点アームアセンブリを、単一の接点アーム、または接点アーム５０、５２、５４、５６など複数の接点アームで組み立てるように適合することもできることを理解されたい。さらに、非制限的な例示的なフローチャートでは、以下のステップのいくつかは人が実施することも理解されたい。しかし、以下のステップは、人が実施する代わりに、自動化されたプロセスで１つまたは複数の機械によって実施することもできる。
【００３０】
ステップ２７０では、第１の接点７０を、第１の接点アーム５０の第１の端部部分１２０上に連結する。
【００３１】
ステップ２７２では、第１の編組ストラップ１００を、第１の接点アーム５０の第２の端部部分１２２の第１のタブ部材１３０上に連結する。
【００３２】
ステップ２７４では、第２の接点７６を、第２の接点アーム５６の第３の端部部分１４０上に連結する。
【００３３】
ステップ２７６では、第２の編組ストラップ１０６を、第２の接点アーム５６の第４の端部部分１４２の第２のタブ部材１５０上に連結する。
【００３４】
ステップ２７８では、ピボットピン８６を、第１および第２の接点アーム５０、５６のそれぞれの第１および第２の円形のピボット開口を通して配設する。
【００３５】
ステップ２８０では、第１の側面板８０を、第１の接点アーム５０の側面に配設する。
【００３６】
ステップ２８２では、第２の側面板８２を第２の接点アーム５６の側面に近接して配設し、ピボットピン８６が第１および第２の接点アーム５０、５６のそれぞれの第１および第２の円形のピボット開口を通り、第１および第２の側面板８０、８２のそれぞれの第１および第２の開口へと延びて、第１のアセンブリを形成するようになっている。
【００３７】
ステップ２８４では、第１のアセンブリを、回転子ハウジング２２０のキャビティ２３０内に配設する。
【００３８】
ステップ２８６では、第１のばね支持ピン８８を、第１および第２の側面板８０、８２のそれぞれの第１および第２のばね支持溝内に配設する。
【００３９】
ステップ２８８では、第１のばねを第１の接点アーム５０の第１のばね保持部分と第１のばね支持ピン８８との間に取り付ける。
【００４０】
ステップ２９０では、第２のばねを第２の接点アーム５６の第２のばね保持部分と第１のばね支持ピン８８との間に取り付ける。
【００４１】
ステップ２９２では、第１のラインストラップ９９の一部分を、第１の接点アーム５０上の第１の接点９８に近接して配設する。
【００４２】
ステップ２９４では、第１の編組ストラップ１００を、第１の負荷ストラップ１０８に連結する。
【００４３】
ステップ２９６では、第２のラインストラップの一部分を、第２の接点アーム５６上の第２の接点７６に近接して配設する。
【００４４】
ステップ２９８では、第２の編組ストラップ１０６を、第１の負荷ストラップ１０８に連結する。
【００４５】
図１を参照しながら、切り換えアセンブリ３８を以下で説明する。切り換えアセンブリ３８は、接点アームアセンブリ３０、３２、３４を、電流が接点アームアセンブリを通って流れる閉動作状態から、電流が接点アームアセンブリを通って流れないオフ（すなわち、開）動作状態へ、および開動作状態から閉動作状態へ、移行するように設けられている。話を簡単にするために、以下の説明では、接点アームアセンブリ３０の切り換えアセンブリ３８の動作のみについて述べる。
【００４６】
切り換えアセンブリ３８は、ハンドル３００、上側リンク３０２、ヒンジピン３０３、下側リンク３０４、トグルピン３０６、ばね支持体３０８、ばね３１０、クレードル３１２、ハウジング部分３１４、ハンドルバー３１６、ピン３１８、１次ラッチ３２０、ピン３２２、２次ラッチ３２４、ピン３２６、トリップバー３２８、およびピン３２９を含む。
【００４７】
ハンドル３００は上側リンク３０２に連結されている。上側リンク３０２は、トグルピン３０６を介して、下側リンク３０４に回転可能に連結されている。トグルピン３０６はさらに、クレードル３１２およびばね支持体３０８の端部に連結されている。下側リンク３０４はさらに回転子９７に連結されている。
【００４８】
ばね３１０は、ハンドル３００とトグルピン３０６との間を延びるばね支持体３０８上に配設されている。ばね３１０は、上側リンク３０２および下側リンク３０４を付勢するように構成されており、ハンドル３００が最も左側の位置にくるとき、下側リンク３０４が接点アーム５４を固定接点９８に向かって押し付けるようになっている。
【００４９】
ユーザが、接点アームアセンブリ３０を閉動作状態からオフ（すなわち、開）動作状態へと移行するためにハンドル３００を時計方向に回転するとき、上側リンク３０２は下側リンク３０４を動かし、下側リンク３０４が回転子９７を時計方向に回転させて、接点７０が固定接点９８から遠ざかるようになっている。
【００５０】
クレードル３１２は、ピン３１３を介してハウジング部分３１４に回転可能に連結されている。さらに、クレードル３１２は、上側リンク３０２のヒンジピン３０３を介して上側リンク３０２に連結されている。クレードル３１２はさらに、１次ラッチ３２０に脱着可能に連結されている。１次ラッチ３２０は、ピン３２２の周りで回転する。１次ラッチ３２０はさらに、２次ラッチ３２４に回転可能に連結されている。２次ラッチ３２４はピン３２６の周りで回転する。２次ラッチ３２４はさらに、トリップバー３２８に回転可能に連結されている。トリップバー３２０はピン３２９の周りで回転する。
【００５１】
図９および１０を参照すると、動作中、接点アームアセンブリ３０を通って過電流状態が起き、接点アームアセンブリ３０がブローオープン動作状態になるとき、トリップバー３２８は反時計方向に回転する。トリップバー３２８の反時計方向の回転に応答して、２次ラッチ３２４は時計方向に回転する。さらに、２次ラッチ３２４は１次ラッチ３２０を時計方向に回転させる。その結果、クレードル３１２は反時計方向に動き、それにより下側リンク３０４が上向きに動かされ、回転子９７が時計方向に回転する。さらに、回転子９７の時計方向の回転によって、回転子９７の表面２６０が、接点アーム５０を固定接点９８から遠ざけられた開位置に維持するように接点アーム５０に接触し、接点アームアセンブリはトリップされた動作状態になる。
【００５２】
図１０および１１を参照すると、接点アームアセンブリ３０がトリップされた動作状態になった後、ユーザは、ハンドル３００を時計方向に回転することによって、接点アームアセンブリ３０をオフ動作状態にリセットすることができる。特に、ハンドル３００は、ピン３１８の周りで回転するハンドルバー３１６に連結されている。ハンドルバー３１６はさらに、ピン３１９を含む。ハンドル３００およびハンドルバー３１６の両方が時計方向に回転する際、ピン３１９はクレードル３１２に接触し、クレードルを右向きに動かし、クレードル３１２は１次ラッチ３２０によって掛止されるようになる。
【００５３】
接点アームアセンブリおよび接点アームアセンブリを組み立てるための方法は、他のアセンブリおよび方法に対して大きな利点がある。特に、接点アームアセンブリおよび方法は、他のアセンブリと比べて製造コストを大きく削減する、比較的少ない数の構成要素を使用する技術的効果を提供する。
【００５４】
本発明は例示的な実施形態を参照して説明したが、本発明の範囲から逸脱することなく、様々な変更を行うことができ、その要素を均等物に置き換えることができることを、当業者であれば理解するであろう。さらに、本発明の範囲から逸脱することなく、特定の状況に適合させるために、本発明の教示に多くの修正を行うことができる。したがって、本発明は、本発明を実施するために開示された実施形態に制限されるものではなく、添付の特許請求の範囲に該当するすべての実施形態を含むものである。さらに、第１、第２等の用語の使用は、何らかの重要度の順序を示すものではなく、第１、第２等の用語は、１つの要素を別の要素と区別するために使用されるものである。
【符号の説明】
【００５５】
１０  回路遮断器
３０  接点アームアセンブリ
３２  接点アームアセンブリ
３４  接点アームアセンブリ
３８  切り換えアセンブリ
５０  接点アーム
５２  接点アーム
５４  接点アーム
５６  接点アーム
７０  接点
７２  接点
７４  接点
７６  接点
８０  側面板
８２  側面板
８６  ピボットピン
８８  ピン
９０  ばねアセンブリ
９２  ばねアセンブリ
９４  ばねアセンブリ
９６  ばねアセンブリ
９７  回転子
９８  固定接点
９９  ラインストラップ
１００  編組ストラップ
１０２  編組ストラップ
１０４  編組ストラップ
１０６  編組ストラップ
１０８  負荷ストラップ
１２０  端部部分
１２２  端部部分
１２４  円形のピボット開口
１２８  ばね保持部分
１２９  溝
１３０  タブ部分
１４０  端部部分
１４２  端部部分
１４４  円形のピボット開口
１４８  ばね保持部分
１４９  溝
１５０  タブ部分
１６０  開口
１６２  ばね支持溝
１７０  開口
１７２  ばね支持溝
１９０  ばねガイド板
１９２  ばね
１９４  ばねリテーナ
１９６  スロット
１９８  フランジ部分
２００  フランジ部分
２０２  嵌め合い面
２２０  ハウジング
２２２  ハウジング
２２４  ハウジング
２２５  接点アームの組
２２６  接点アームの組
２２８  接点アームの組
２３０  キャビティ
２３２  側壁
２３４  側壁
２３６  溝
２３８  溝
２４０  キャビティ
２４２  側壁
２４４  側壁
２４６  溝
２４８  溝
２５０  キャビティ
２５２  側壁
２５４  側壁
２５６  溝
２５８  溝
２６０  表面
３００  ハンドル
３０２  上側リンク
３０３  ヒンジピン
３０４  下側リンク
３０６  トグルピン
３０８  ばね支持体
３１０  ばね
３１２  クレードル
３１４  ハウジング部分
３１６  ハンドルバー
３１８  ピン
３１９  ピン
３２０  １次ラッチ
３２２  ピン
３２４  ２次ラッチ
３２６  ピン
３２８  トリップバー
３２９  ピン
【図１】
2010086959.tif 000003
【図２】
2010086959.tif 000004
【図３】
2010086959.tif 000005
【図４】
2010086959.tif 000006
【図５】
2010086959.tif 000007
【図６】
2010086959.tif 000008
【図７】
2010086959.tif 000009
【図８】
2010086959.tif 000010
【図９】
2010086959.tif 000011
【図１０】
2010086959.tif 000012
【図１１】
2010086959.tif 000013
【図１２】
2010086959.tif 000014
【図１３】
2010086959.tif 000015